(57)【要約】      （修正有）【課題】使用者が睡眠中に無呼吸の状態を回避するために好適な姿勢を維持することを可能にする用具を提供する。【解決手段】背枕１は、本体１０を背負った状態で使用者の背中１に固定される。背枕１は、使用者の背中に固定される本体１０と、本体１０を睡眠中の使用者の背中に固定するための上側固定部２０と下側固定部３０とを備える。上側固定部２０と下側固定部３０により、使用者が睡眠中に寝返りをしても、背中に当接している本体１０の位置を維持でき、仰向けの状態になるのを防止できるものである。【選択図】図１
0003215263.tif 000002
【実用新案登録請求の範囲】
【請求項１】
睡眠時の使用者の姿勢を横向きに規制する姿勢規制用背枕であって、
上側の一端が前記使用者の頭部側に位置し、下側の他端が前記使用者の脚部側に位置する柱状の本体と、
前記本体の前記上側の背面に設けられ、前記本体を前記使用者の身体に固定するための上側固定部と、
前記上側固定部よりも前記下側の背面で前記本体に設けられ、前記本体を前記使用者の身体に固定するための下側固定部とを有することを特徴とする、
姿勢規制用背枕。
【請求項２】
前記本体が円柱状であることを特徴とする、請求項１に記載の姿勢規制用背枕。
【請求項３】
前記本体が内部に気体を充填できる袋状に形成されており、充填する前記気体の量を調整するための気体充填量調節機構を有することを特徴とする、請求項１〜２のいずれか１項に記載の姿勢規制用背枕。
【請求項４】
前記本体が内部に詰め物を充填できる袋状に形成されており、充填する前記詰め物の量を調整するための詰め物充填量調節機構を有することを特徴とする、請求項１〜２のいずれか１項に記載の姿勢規制用背枕。
【請求項５】
前記上側固定部が紐状に形成されており、少なくとも一部に前記上側固定部の長さを調節するための長さ調節機構を有することを特徴とする、請求項１〜４のいずれか１項に記載の姿勢規制用背枕。
【請求項６】
前記下側固定部が紐状に形成されており、少なくとも一部に前記上側固定部の長さを調節するための長さ調節機構を有することを特徴とする、請求項１〜５のいずれか１項に記載の姿勢規制用背枕。
【考案の詳細な説明】
【技術分野】
【０００１】
この考案は、継続して横向きで睡眠する事を可能にする姿勢規制用背枕に関する。
【背景技術】
【０００２】
睡眠時無呼吸症候群は、仰向けで寝ることで睡眠中に舌の付け根の部分（舌根部）が沈下して気道を塞ぐことにより発生するものであり、特に肥満体の人や老人に多い。睡眠時無呼吸症候群になると、睡眠中に無呼吸の状態が続いて身体に悪い影響を及ぼすことから、無呼吸の状態になるのを防止する必要がある。
無呼吸の状態を防止するための方法として、頭部を横向きにして寝ることが挙げられる。頭部を横向きになることで、舌根部が沈下するのを防止して呼吸ができるように気道が確保されるからである。
【０００３】
そこで、従来から睡眠中に頭部を横向きにした状態を維持するための様々な用具が開示されている。例えば、特許文献１では、平面視すると略Ｌ字型となっている枕が開示されている。この枕によれば、使用者が枕を使用し、後頭部を短手部に、片側の肩及び背中を長手部に当接させた状態で横たわると、頭部を適切な高さに維持しつつ、胸部を側方に傾斜させた状態とすることができる。
【先行技術文献】
【特許文献】
【０００４】
【特許文献１】特開２０１６−２４３５号公報
【考案の概要】
【考案が解決しようとする課題】
【０００５】
しかし、特許文献１の枕では、使用者が寝返りをした際等に、使用者の身体が長手部や短手部からずれて、睡眠中に仰向けの姿勢になってしまう恐れがある。
そこで、本考案は、使用者が睡眠中に無呼吸の状態を回避するために好適な姿勢を維持することを可能にする用具を提供することを目的とする。
【課題を解決するための手段】
【０００６】
上述した目的を達成するため、請求項１に記載の本考案に係る姿勢規制用背枕は、上側の一端が前記使用者の頭部側に位置し、下側の他端が前記使用者の脚部側に位置する柱状の本体と、前記本体の前記上側の背面に設けられ、前記本体を前記使用者の身体に固定するための上側固定部と、前記上側固定部よりも前記下側の背面で前記本体に設けられ、前記本体を前記使用者の身体に固定するための下側固定部とを有することを特徴とする。
【０００７】
好適な実施形態としての請求項２に係る姿勢規制用背枕は、前記本体が円柱状であることを特徴とする。
【０００８】
好適な実施形態としての請求項３に係る姿勢規制用背枕は、前記本体が内部に気体を充填できる袋状に形成されており、充填する前記気体の量を調整するための気体充填量調節機構を有することを特徴とする。
【０００９】
好適な実施形態としての請求項４に係る姿勢規制用背枕は、前記本体が内部に詰め物を充填できる袋状に形成されており、充填する前記詰め物の量を調整するための詰め物充填量調節機構を有することを特徴とする。
【００１０】
好適な実施形態としての請求項５に係る姿勢規制用背枕は、前記上側固定部が紐状に形成されており、少なくとも一部に前記上側固定部の長さを調節するための長さ調節機構を有することを特徴とする。
【００１１】
好適な実施形態としての請求項６に係る姿勢規制用背枕は、前記下側固定部が紐状に形成されており、少なくとも一部に前記上側固定部の長さを調節するための長さ調節機構を有することを特徴とする。
【考案の効果】
【００１２】
この考案は以上のように構成したので、次のような効果を奏し得る。即ち、請求項１のように構成すると、使用者が睡眠中に無呼吸の状態を回避するために好適な姿勢を維持することを可能にする。
【００１３】
請求項２のように構成すると、固定されている本体側に寝返りを打とうとする動きを緩やかに規制することを可能にする。
【００１４】
請求項３のように構成すると、その内部から気体を抜いて本体１０を折り畳むことができ、背枕１を携帯して容易に移動することを可能にする。
【００１５】
請求項４のように構成すると、従来からある枕と同じ触感を得ることができ、使用者が抵抗なく使用することを可能にする。
【００１６】
請求項５のように構成すると、使用者の体型に合わせて、上側固定部の長さを調節することを可能にする。
【００１７】
請求項６のように構成すると、使用者の体型に合わせて、下側固定部の長さを調節することを可能にする。
【図面の簡単な説明】
【００１８】
【図１】本発明の背枕の第１実施形態を示し、（ａ）は正面から見た斜視図及び左側側面図、（ｂ）は背面から見た斜視図及び左側側面図である。
【図２】本発明の背枕の第１実施形態の使用状態を示す説明図であり、（ａ）は左側に寝返りをした状態の説明図、（ｂ）は右側へ寝返りをした状態の説明図である。
【図３】本発明の背枕の第２実施形態を示し、（ａ）は背面から見た斜視図、（ｂ）は内部枕を正面から見た状態の斜視図である。
【考案を実施するための形態】
【００１９】
以下、図面を参照しつつ、本考案に係る背枕１の第１実施形態と第２実施形態について説明する。
第１実施形態は、後述する背枕１の本体１０に気体が充填されており、第２実施形態は、本体４０に詰め物が充填されている。
【００２０】
〔第１実施形態〕
背枕１は、本体１０を背負った状態で使用者Ｓの背中１に固定される。
背枕１は、図１（ａ）に示すように、使用者Ｓの背中に固定される本体１０と、本体１０を睡眠中の使用者Ｓの背中に固定するための上側固定部２０と下側固定部３０とを備える。上側固定部２０と下側固定部３０により、使用者Ｓが睡眠中に寝返りをしても、背中に当接している本体１０の位置を維持でき、仰向けの状態になるのを防止できるものである。
【００２１】
以下に、背枕１を構成する各部について説明する。
なお、以下に、背枕１を使用するときに、使用者Ｓの頭部は、背枕１の上側ｕに位置し、使用者Ｓの脚部は、下側ｌに位置するものとして説明するが、上側ｕと下側ｌは相対的なものである。
【００２２】
＜本体１０＞
本体１０は、使用者Ｓの背中に位置し、使用者Ｓが床面Ｆに横になったときに、身体が横向きの姿勢とするためのものである。
本体１０は、図１（ａ），（ｂ）に示すように、上側ｕと下側ｌに対抗する面を有する円柱状に形成されている。つまり、使用者Ｓの背中と当接しない側の側面も周方向に円周面に形成されている。そのため、本体１０は、床面Ｆに横になった使用者Ｓの体が仰向けになるのを阻害して横向きの姿勢とすることができるが、図２（ａ）に示すように、本体１０側に寝返りを打とうとする動きを緩やかに規制する。つまり、使用者Ｓは、本体１０を背中に固定しても、本体１０の円周面に沿って僅かに身体が動くことができるので、使用者Ｓが睡眠中に本体１０側に寝返りを打とうとする動きか制限されていることを感じて目を覚ますことを防止できる。
【００２３】
本体１０は、直径Ｄが大きすぎると使用者Ｓの睡眠中の動きを規制しすぎてしまい、使用者Ｓの睡眠を妨げる恐れがあり、小さすぎると、使用者Ｓが容易に寝返りをすることができるので睡眠中の動きを規制することができない。そのため、本体１０の直径Ｄは、２７ｃｍ〜３２ｃｍであることが好ましく、２０ｃｍ〜２５ｃｍであることがより好ましい。
【００２４】
また、本体１０は、上下方向の長さＬが長すぎると、使用者Ｓの脚部に当ることにより、使用者Ｓの睡眠を妨げる恐れがあり、短すぎると、寝返りをするときに本体１０が使用者Ｓの背中に強く当たり睡眠を妨げる恐れがある。そのため、本体１０の長さＬは、５０ｃｍ〜７０ｃｍであることが好ましく、４０ｃｍ〜６０ｃｍであることがより好ましい。
【００２５】
本体１０は、その中に気体が充填されるように、袋状に形成されている。
本体１０には、図１（ａ）に示すように、下側ｌの面に、封入する気体の量を調整するための気体充填量調節機構であるバルブ１１が設けられており、ポンプ５０によって、その内部に気体が注入される。これにより、背枕１を使用するまでは、その内部から気体を抜いて本体１０を折り畳むことができる。
【００２６】
本体１０は、気体を封入して漏れない素材で形成されている。具体的には、ポリ塩化ビニル等の高分子樹脂が挙げられる。
【００２７】
＜上側固定部２０＞
上側固定部２０は、使用者Ｓが本体１０を背負うことにより、本体１０の上側ｕの部分を使用者Ｓに固定するためのものである。
上側固定部２０は、図１（ａ）に示すように、使用者Ｓの左右の腕を通して本体１０を背負うことができるように形成されている。具体的には、上側固定部２０は、図１（ｂ）に示すように、第１肩掛け部２１と第２肩掛け部２２とからなり、第一肩掛け部２１と第ニ肩掛け部２２は、本体１０の使用者Ｓの背中と当接しない側（背面側）で、長手方向の中心を基準に線対称の位置で本体１０に固定されている。
【００２８】
第一肩掛け部２１と第ニ肩掛け部２２は、本体１０に固定される位置が異なる以外は、同じ構成であるため、第一肩掛け部２１を例に挙げて、第一肩掛け部２１と第ニ肩掛け部２２について説明する。
【００２９】
第一肩掛け部２１は、図１（ｂ）に示すように、一端が本体１０とその中程で繋がっている肩掛補助部２４と、一端が肩掛補助部２４よりも上側ｕで本体１０と繋がっている肩掛主部２５とを有する。
第一肩掛け部２１は、肩掛主部２５と肩掛補助部２４が後述するバックル２３で繋がり、紐状になっている。
【００３０】
肩掛補助部２４の先端には、図１（ａ）に示すように、第一肩掛け部２１の長さを調節することが可能な長さ調節機構であるバックル２３が設けられている。バックル２３により、第一肩掛け部２１の長さを使用者Sの体型に応じて調節することができる。
【００３１】
＜下側固定部３０＞
下側固定部３０は、使用者Ｓに背負われた本体１０の下側ｌの部分を、使用者Ｓの腹部に固定するためのものである。
下側固定部３０は、図１（ａ）に示すように、上側固定部２０の一端２４よりも下側ｌに設けられている。
【００３２】
下側固定部３０は、図１（ｂ）に示すように、第一ベルト片３１と、第二ベルト片３２とからなる。第一ベルト片３１と第二ベルト片３２は、紐状に形成されており、本体１０の使用者Ｓの背中と当接しない側で、長手方向の中心を基準に線対称の位置に配置されている。
第一ベルト片３１と第二ベルト片３２は、図１（ａ）に示すように、第一ベルト片３１と第二ベルト片３２を使用者Ｓの腹部の回りに左右からそれぞれ巻き付けたときに、２つのベルト片が重なり合う程度の長さに形成されている。
【００３３】
下側固定部３０は、第一ベルト片３１と第二ベルト片３２が後述する留め具３３により繋がることにより、形成される。具体的には、図１（ａ）に示すように、第一ベルト片３１の先端に雌型留具３４が設けられており、第二ベルト片３２の先端に雄型留具３５が設けられている。雌型留具３４と雄型留具３５が一体化することにより、留め具３３を形成して、第一ベルト片３１と第二ベルト片３２が繋がる。
【００３４】
雄型留具３５には、図１（ａ）に示すように、第二ベルト片３２の長さを調節することが可能な長さ調節機構であるバックル３６を有している。第二ベルト片３２の長さを調節することにより、下側固定部３０の長さを、使用者Ｓの腹囲を応じて調節することができる。
【００３５】
＜背枕１の使用方法＞
次に、本実施形態の背枕１の使用方法について説明する。
まず、使用者Ｓの肩に２つの上側固定部２０を掛けて、本体１０を背中に背負う。
次に、本体１０を背負った状態で、第一ベルト片３１と、第二ベルト片３２を繋げて、本体１０を使用者Ｓの背中に固定する。
そして、図２に示すように、使用者Ｓが床面Ｆに横たわると、使用者Ｓは、背中に固定された本体１０により身体が仰向けになるのを阻害されて、横向きの姿勢で横たわることになる。この横向きの姿勢は、本体１０が固定されている間、維持される。
【００３６】
＜背枕１により奏する効果＞
以下、本実施形態の背枕１が奏する効果について説明する。
第一肩掛け部２１と第ニ肩掛け部２２は、図１（ｂ）に示すように、本体１０の使用者Ｓの背中と当接しない側で本体１０に固定されている。これにより、第一肩掛け部２１と第ニ肩掛け部２２が本体１０の使用者Ｓの背中と当接する側で固定されている場合と比べて、本体１０を使用者Ｓに確りと固定することができる。
そして、図２（ａ）に示すように、背中に本体１０を固定した使用者Ｓは、身体を床面Ｆに横たわり本体１０に寄り掛かると、無呼吸の状態を回避するために好適な姿勢で睡眠することができる。この好適な姿勢は、上側固定部２０及び下側固定部３０により本体１０が使用者Ｓの身体に固定されているので、図２（ａ）に示すように、睡眠中に使用者Ｓが本体１０側に寝返りを打とうとしても維持することができる。
さらに、本体１０が円柱状に形成されているので、使用者Ｓは、本体１０を背中に固定しても、本体１０の円周面に沿って僅かに身体が動くことができるので、使用者Ｓが睡眠中に本体１０側に寝返りを打とうとする動きか制限されていることを感じて目を覚ますことを防止できる。
また、使用者Ｓが本体１０の配置している側とは反対に寝返り（図２（ａ）の左側への寝返り）を打った場合には、使用者Ｓはうつ伏せになり、さらに同じ方向に寝返りを打ったとしても、図２（ｂ）に示すように、再び本体１０により、使用者Ｓを横向きの姿勢に維持することができる。
【００３７】
また、本体１０の内部に気体を充填できる袋状に形成されており、封入する気体の量を調整するための気体充填量調節機構としてバルブ１１が設けられている。これにより、背枕１を使用するまでは、その内部から気体を抜いて本体１０を折り畳むことができ、背枕１を携帯して容易に移動することができる。そのため、使用者Ｓは、外泊をする場合でも、携帯している背枕１を外泊先で容易に使用することができる。
さらに、上側固定部２０はバックル２３を有し、下側固定部３０はバックル３６を有している。これにより背枕１は、使用者Ｓの体形の変化に合わせて、本体１０を確りと使用者Ｓの背中に確りと固定できるように調節できる。背枕１は、肥満体の人が使用することも多く、標準体型の人に比べて、更に体重が増加したり、運動療法により体重が減少したりと、体重の増減が激しい場合がある。その場合でも、上側固定部２０及び下側固定部３０を調節することにより、睡眠時に無呼吸の状態の回避を継続することができる。
【００３８】
〔第２実施形態〕
次に、本考案に係る背枕の第２実施形態について説明する。なお、第１実施形態と同じ構成要素については、同じ符号を付してその説明を省略する。
【００３９】
本実施形態の背枕２は、第１実施形態の背枕１が本体１０に気体が充填されるのに対し、後述する本体４０に、ポリエステル等の詰め物が充填される。
背枕２は、図３（ａ）に示すように、背枕１と同様に、使用者Ｓの背中に固定される本体４０と、本体４０を睡眠中の使用者Ｓの背中に取り付けるために上側固定部２０と下側固定部３０とを備える。
【００４０】
＜本体４０＞
本体４０は、使用者Ｓの背中に位置し、使用者Ｓが床面Ｆに横になったときに、身体が横向きの姿勢とするためのものである。
本体４０は、図３（ａ）に示すように、その中に詰め物が充填できるように、袋状に形成されている。
本体４０は、使用者Ｓの背中と当接する領域と略反対側の領域に、詰め物を本体４０の内部に出し入れするため詰め物充填量調節機構を構成する開口部４１を有している。開口部４１は、本体４０の長さ方向に沿って開口部４１を有しており、その左右の周縁には線ファスナー４２が設けられている。この線ファスナー４２を閉じることで、開口部４１を閉じることができ、線ファスナー４２を開くことで、開口部４１を開くことができる。
【００４１】
本体４０は、綿等の天然繊維やポリエステル等の合成繊維からなる布材により形成されている。
本体４０の内部には、ポリエステルやポリウレタン等を詰め物として用いることができる。また、図３（ｂ）に示すように、天然ゴムやポリウレタンを本体４０の内部に入るように円柱状に成形した内部枕４３を用いることもできる。
【００４２】
＜背枕２により奏する効果＞
本実施形態によれば、本体４０の質量を大きくすることができるので、使用者Ｓが睡眠中に、本体１０が配置している側とは反対に寝返り（図２の左側への寝返り）を打つことにより、うつ伏せの状態になるのを防止する。これにより、使用者Ｓがうつ伏せの状態になり、枕等の他の寝具により口や鼻がおおわれてしまい、睡眠中に目が覚めるのを防止できる。
また、従来からある枕と同じ触感を得ることができ、使用者Ｓは、抵抗なく使用することができる。
さらに、自分の好みの詰め物に交換することができる。
【００４３】
以上、本考案の背枕について第１実施形態と第２実施形態を挙げて説明したが、本考案はこれに限定されない。例えば、第１、第２実施形態では、本体１０，４０が円柱状に形成されているが、本考案はこれに限定されない。例えば、本体１０，４０が円柱状ではなく楕円形状でもよく、六角形等の多角柱状でもよい。
【００４４】
また、第１、第２実施形態では、背枕１は、上側固定部２０の長さを調節するためにバックル２３、下側固定部３０の長さを調節するためにバックル３６を有しているが、本考案はこれに限定されず、使用者Ｓの背中に本体１０を当接させて無呼吸の状態を回避するために好適な姿勢を維持するために長さを調節できるのであれば、マジックテープ（マジックテープは登録商標）やゴム等の他の長さ調節機構を備えていてもよい。
【００４５】
さらに、第１、第２本実施形態では、上側固定部２０は、２つ設けられていたが、本考案はこれに限定されず、１つでも良い。
さらに、上側固定部２０は、斜め掛けできるように形成されていてもよい。
【００４６】
第２実施形態では、開口部４１が、本体４０の軸方向に沿って設けられていたが、これに限定されず、本体４０の周方向に沿って設けられていてもよい。
【産業上の利用可能性】
【００４７】
本考案は上述した構成を有していることにより、使用者が睡眠中に仰向け状態にることを防止して、無呼吸の状態を回避するために好適な姿勢を維持することを可能にする。
【符号の説明】
【００４８】
１    背枕
２    背枕
１０  本体
１１  バルブ
２０  上側固定部
２１  第一肩掛け部
２２  第ニ肩掛け部
２３  バックル
２４  肩掛補助部
２５  肩掛主部
３０  下側固定部
３１  第一ベルト片
３２  第二ベルト片
３３  留め具
３４  雌型留具
３５  雄型留具
３６  バックル
４０  本体
４１  開口部
４２  線ファスナー
４３  内部枕
５０  ポンプ
Ｓ    使用者
Ｆ    床面
Ｕ    上側
Ｌ    下側
Ｄ    直径
Ｌ    長さ
【図１】
0003215263.tif 000003
【図２】
0003215263.tif 000004
【図３】
0003215263.tif 000005